(57)【特許請求の範囲】
【請求項１】
列設される複数の遊技機とその関連設備とから構成される遊技機島の島下段に設置され、各遊技機から排出される遊技媒体を貯留する貯留タンクにおいて、
島長手方向に分割された複数のタンクブロックを連接し、該タンクブロックは傾斜を有するブロック体であって、該ブロック体は、前記遊技媒体の落下音を防止する凸状の落下音防止ダンパと前記傾斜における上面部の側端縁と前記ブロック体の両側枠板に上向きに接する曲面を有するアール形状から構成されている、ことを特徴とする貯留タンク。
【請求項２】
前記ブロック体は、合成樹脂または前記遊技媒体の衝撃を緩和するためのゴムを別体として前記ブロック体の傾斜上面部に取り付けることを特徴とする請求項１記載の貯留タンク。
【請求項３】
前記ブロック体の凸状の落下音防止ダンパの両脇に、摩擦係数の低い材料から成る滑りシートを敷設したことを特徴とする請求項１または２に記載の貯留タンク。
【請求項４】
前記ブロック体、ブロック体の両側枠板のいずれか一方にアース処理をしたことを特徴とする請求項１または２に記載の貯留タンク。
【発明の詳細な説明】
【０００１】
【発明の属する技術分野】
本発明は、列設される複数の遊技機とその関連設備とから構成される遊技機島の島下段に設置され、各遊技機から排出される遊技媒体を貯留する貯留タンクに関する。ここで遊技機とは主としてパチンコ機を指すものであり、遊技媒体はパチンコ球である。
【０００２】
【従来の技術】
一般に複数のパチンコ機から成る遊技機島の島下段内には、島内に多量の遊技媒体であるパチンコ球を貯留するための貯留タンクが配設されている。かかる貯留タンクは、予め定められた大きさの箱状に板材を一体的に組み付けて成るものであり、その上面は大きく開口し底面部はパチンコ球が流下するように所定の傾斜角度に調整されていた。島の構築時にこのような貯留タンクは、島下段内に収まるように、島下段の枠組を成す支持フレームや腰板とは全く別個独立に、支柱等の独自の支持部材を介してフロア上に据え付けられていた。
【０００３】
【発明が解決しようとする課題】
しかしながら、前述したような従来の貯留タンクでは、その大きさ特に長手方向における長さは組立時にほぼ画一的に設定されるものであり、実際に島下段内に配設する際に、遊技機島の長さに応じて適宜タンクを短く或は長く調整したり、また、遊技機島で必要とされるパチンコ球の貯留量に応じて、タンクの容量を後から増減するようなことは非常に困難であり、結局は全く新たに設計し直した別の貯留タンクを用意しなければならず、コストアップの要因となっていた。
【０００４】
また、従来の貯留タンクはその配設時における傾斜角度の調整が難しく、特に、最適な傾斜角度を維持するように支持部材で貯留タンクを島下段内の狭いフロア上に据え付ける作業は面倒で時間がかかり、コストアップの要因となるという問題点があった。
【０００５】
本発明は、以上のような従来技術の有する問題点に着目してなされたもので、遊技機島の長さに応じてタンク全長を容易に調整することができ、また、遊技機島で必要とされる遊技媒体の貯留量に応じて、タンク容量を後から容易に増減することができ、更に、底面部の傾斜角度を維持するような面倒な据え付け作業が不要であり、大幅なコスト低減を実現できる遊技機島の貯留タンクを提供することを目的としている。
【０００６】
【課題を解決するための手段】
前述した目的を達成するための本発明の要旨とするところは、以下の各項に存する。
請求項１記載の発明では、
列設される複数の遊技機（１１）とその関連設備とから構成される遊技機島（１０）の島下段（１０Ａ）に設置され、各遊技機（１１）から排出される遊技媒体を貯留する貯留タンク（３０，３０ａ，１３０，２２０）において、
島長手方向に分割された複数のタンクブロック（２２０Ａ，２２０Ｂ）を連接し、該タンクブロック（２２０Ａ，２２０Ｂ）は傾斜を有するブロック体（２２１）であって、該ブロック体（２２１）は、前記遊技媒体の落下音を防止する凸状の落下音防止ダンパ（２２４）と前記傾斜における上面部（２２２）の側端縁と前記ブロック体（２２１）の両側枠板（２３０，２３０）に上向きに接する曲面を有するアール形状（２２３）から構成されている、ことを特徴とする貯留タンク（３０，３０ａ，１３０，２２０）に存する。
【０００７】
請求項２記載の発明では、
前記ブロック体（２２１）は、合成樹脂または前記遊技媒体の衝撃を緩和するためのゴムを別体として前記ブロック体の傾斜上面部（２２２）に取り付けることを特徴とする請求項１記載の貯留タンク（２２０）に存する。
【０００８】
請求項３記載の発明では、
前記ブロック体（２２１）の凸状の落下音防止ダンパ（２２４）の両脇に、摩擦係数の低い材料から成る滑りシート（２２８）を敷設したことを特徴とする請求項１または２に記載の貯留タンク（２２０）に存する。
【０００９】
請求項４記載の発明では、
前記ブロック体（２２１）、ブロック体（２２１）の両側枠板（２３０，２３０）のいずれか一方にアース処理をしたことを特徴とする請求項１または２に記載の貯留タンク（２２０）に存する。
【００１１】
次に前述した解決手段に基づく作用を説明する。
請求項１記載の貯留タンク（３０，３０ａ，１３０，２２０）によれば、島長手方向に分割された複数のタンクブロックを連接して成るから、遊技機島（１０）の長手方向の長さに応じてタンクブロックを適宜組合せタンク全長を短くしたり長くすることができ、最適な寸法の貯留タンク（３０，３０ａ，１３０，２２０）を極めて容易に形成することができる。
また、遊技機島（１０）で必要とされるパチンコ球の貯留量に応じて、余分なタンクブロックを外したり逆に付け加えたりすることで、別寸法の貯留タンクを新たに用意することなく、タンク容量を後から増減することも容易にできる。
【００１２】
更に、落下音防止ダンパ（２２４）を設けているので、落下したパチンコ球が直接傾斜上面部（２２２）にぶつからないようクッションとなり、パチンコ球の落下音が消音される。
また、前記傾斜上面部（２２２）の側端縁に、両側枠板（２３０，２３０）に対し上向きに接するアール（２２３）を設けているので、前記貯留タンク（２２０）の隅にパチンコ球やゴミが滞留するのを防止できる。
【００１３】
請求項２記載の貯留タンク（２２０）によれば、ブロック体（２２１）を合成樹脂または、前記傾斜上面部にゴムを取り付けているので、落下したパチンコ球の落下音の消音効果が極めて高くなる。
【００１４】
請求項３記載の貯留タンク（２２０）によれば、凸状の落下音防止ダンパの両脇に、ステンレス薄板等の摩擦係数の低い材料を敷設しているので、落下したパチンコ球の滑りを極めてよくすることができる。
【００１５】
請求項４記載の貯留タンク（２２０）によれば、ブロック体（２２１）またはブロック体（２２１）の両側枠板（２３０，２３０）のいずれか一方にアース処理をしているので、前記貯留タンク（２２０）内にパチンコ球の移動により発生する静電気を除電することができる。
【００１８】
【発明の実施の形態】
以下、図面に基づき本発明の各種の実施形態を説明する。
図１〜図６は本発明の第１の実施の形態を示している。
本実施形態に係る貯留タンク３０を装備する遊技機島１０は、列設される複数の遊技機としてのパチンコ機１１，１１…や、遊技媒体であるパチンコ球を貸し出す球貸機１９、それに貨幣搬送装置７０等の関連設備を含み、前記貯留タンク３０を配設する島下段１０Ａの上に、各パチンコ機１１や球貸機１９が列をなす島中段１０Ｂ、島最上部をなす島上段１０Ｃを構築して成る。
【００１９】
図１〜図３に示すように、貯留タンク３０は全体的に見れば島長手方向に延びる両側壁と、島中央付近に配される前壁、島端付近に配される後壁、それに後壁から前壁へ向って下方へ傾斜する底面部とから箱状枠形に形成され、略水平な上面側は大きく開口し、各パチンコ機１１から排出されたパチンコ球を受入れられるようになっている。
【００２０】
かかる貯留タンク３０は、その長手方向に分割された複数のタンクブロック３１〜３４を連接して成る。島中央付近に配される一番容量の大きなタンクブロック３１には前壁が形成され、島端付近に配される容量の小さなタンクブロック３４には後壁が形成されている。
【００２１】
貯留タンク３０の全体的な大きさは、遊技機島１０の長さや貯留すべきパチンコ球の量に応じて適宜決めればよく、例えば図中におけるタンクブロック３４を除いて構成しても構わない。この場合、端となるタンクブロック３３に後壁を形成することになる。個々のタンクブロック３１〜３４には、相互の連結機構は特になく、これらは単に、支持脚３７Ａ〜３７Ｅによって略水平面に対し傾くように支持された台座３６の上に滑らかに連続し、互いに連通するように載置されて一体の貯留タンク３０を成している。
【００２２】
台座３６の支持脚３７Ａ〜３７Ｅの下端には、次述する下段ユニット２０のレール部材２４に対してスムーズに移動可能に外嵌する馬蹄形のベアリング３８が設けられている。ベアリング３８の内側にはレール部材２４に接触する多数のボールが転動可能に馬蹄形に密に並ぶよう配されている。なお、移動性は損なわれるが、支持脚３７Ａ〜３７Ｅの下端にベアリング３８を設けることなく、単にレール部材２４に摺動可能に嵌合する凹部を形成したり、更にはレール部材２４自体を省いて構成してもよい。
【００２３】
図２及び図３に示すように、遊技機島１０の土台を成す島下段１０Ａは、島全体を支える十分な強度を備えた一対の下段ユニット２０，２０の内部に、それぞれ貯留タンク３０を収納設置して構成されている。一対の下段ユニット２０，２０は島全長に亘って延びており、島中央を境に互いに対称となるよう配されている。各下段ユニット２０は、各パチンコ機１１を載置する天板２１と、該天板２１下側より垂下する腰部支持板２２と、フロア上に載置する底面板２３とを一体的に組み付けて成る。
【００２４】
図５に示すように、下段ユニット２０の両端は共に開口２０ａ，２０ｂとして開放されており、通常は島端側の開口２０ｂから貯留タンク３０をユニット内部に収納設置したり外部に引き出せるようになっている。島中央側の開口２０ａは必ずしも設ける必要はない。なお、島端側の開口２０ｂは、遊技機島１０が稼動可能な最終形態として完成する前後に化粧板等で塞げばよい。
【００２５】
天板２１の島内側に位置する中央部には長手方向に延びる球落下口２１ａが形成されている。また、腰部支持板２２の要所には必要に応じて取っ手ともなる内部点検用の覗き孔２２ａが形成されている。更に底面板２３の上面両端側には、互いに平行に延びる一対のレール部材２４，２４が釘あるいは接着剤等により固着されている。各レール部材２４は、次述する貯留タンク３０を下段ユニット２０内の底面板２３上で長手方向にスムーズに移動させるためのレール手段である。
【００２６】
図１に示すように、島下段１０Ａの天板２１上には、各パチンコ機１１の下端が島長手方向に摺動可能に嵌合する下方レール部材１２が設けられており、後述する島上段１０Ｃの下面部４２には、各パチンコ機１１の上端が島長手方向に摺動可能に嵌合する上方レール部材１３が設けられている。島中段１０Ｂは、上方レール部材１３と下方レール部材１２との間に、各パチンコ機１１を摺動させて配置して成り、各パチンコ機１１は、島下段１０Ａ上に立設された中段支持体１５を間にして前後２列に配されている。
【００２７】
パチンコ機１１はハンドル操作によってパチンコ球を盤面上に打ち出し、打球の入賞を競い楽しむものであり、正面側には球を機内に導入する前皿や、球貯留用の予備皿等が設けられている。各パチンコ機１１間に介装された球貸機１９は、後述する鑑別呼出装置５０からの信号を受けた際に、相当数の球を計数しつつ払い出すものである。かかる球貸機１９はパチンコ機１１と略同一の奥行幅に設定されており、球貸機１９も各パチンコ機１１と同様に、上下のレール部材１２，１３間を摺動させて配置されている。
【００２８】
島中段１０Ｂの上側に構築される島上段１０Ｃは、その上面部４１や下面部４２、それに外壁をなす幕板４３や内部の仕切板４５等から構成された枠組内に、鑑別呼出装置５０、紙幣や硬貨を島長手方向に搬送する貨幣搬送装置７０、それに各パチンコ機１１にパチンコ球を供給する給配樋４６等を配設して成る。給配樋４６は仕切板４５間にて高さ位置を調整できる。給配樋４６の途中箇所には、図示省略したが各パチンコ機１１及び各球貸機１９に対応した球の供給部材が取付けられている。
【００２９】
鑑別呼出装置５０は、紙幣や硬貨の投入口５１に連通する貨幣鑑別機に、呼出ボタン及びランプを一体的に設けて構成されている。ここで貨幣鑑別機は、投入された紙幣や貨幣を磁気・光方式で特定する各種センサの他、ＣＰＵ，ＲＡＭ，ＲＯＭ等を含むマイクロコンピュータを備えている。鑑別呼出装置５０から排出された紙幣や硬貨を搬送する貨幣搬送装置７０は、島長手方向に延びるように張設したコンベヤベルトを具備して成る。
【００３０】
次に第１の実施形態の作用を説明する。
本実施形態に係る貯留タンク３０によれば、島長手方向に分割された複数のタンクブロック３１〜３４を台座３６上を滑らすようにして順次連接すればよく、容易に最適な寸法の貯留タンクを形成することができる。複数のタンクブロック３１〜３４を、遊技機島１０の長さに応じて幾つか選択し、適宜組合せることでタンク全長を短くしたり長くすることができ、島下段１０Ａにちょうど収まる最適な寸法の貯留タンク３０を容易に形成することができる。しかも、分割されたタンクブロック３１〜３４は取扱いや運搬上も非常に便利である。
【００３１】
また、遊技機島１０で必要とされるパチンコ球の貯留量に応じて、余分なタンクブロック３１，３２…を外したり付け加えたりすることで、別寸法の貯留タンクを新たに用意することなく、後からタンク容量を増減することも簡単にできる。例えば各タンクブロック３１〜３４のうち最大容量のタンクブロック３１を除いたり、或は最小容量のタンクブロック３４を除く等して、４個のタンクブロック３１〜３４の何れか１個のみ、または２個や３個、或は４個全部という具合に適宜組合せ、貯留タンク３０全体の長さや容量を極めて容易に調整することができる。
【００３２】
選択した各タンクブロック３１，３２…は、支持脚３７Ａ〜３７Ｅにより略水平面に対して傾くように支持された台座３６上に互いに連通するよう順次載置すればよい。台座３６の傾斜角度は予め所定角度に設定しておくことができ、各タンクブロック３１，３２…は、単にその底部が台座３６の上面に当接するように載置するだけで、予め設定した傾斜角度に傾かせることができる。それにより、貯留タンク３０の配設時における面倒な傾斜角度の調整は不要となる。なお、台座３６は予め定めた一定の長さを有するが、板状の簡単な形状であり極めて容易に切断する等して長さを調整することができる。
【００３３】
また、前記貯留タンク３０を配設する島下段１０Ａは、図２〜図４に示すように、天板２１と腰部支持板２２と底面板２３とを一体的に組み付けた下段ユニット２０からほぼそのまま構成されるため、資材点数は従来の島に比して著しく削減され、また組み付け工数も削減されて、島の施工現場における島下段１０Ａの組立ては極めて簡易かつ容易となる。
【００３４】
すなわち、遊技機島１０の構築に費やされる施工時間が大幅に短縮され、コスト低減が可能となる。また、島下段１０Ａは別々の部材の寄せ集め的な組付けではなく、最初から一体強固なユニットであるため、十分な強度を得ることもできる。更に、下段ユニット２０は工場等で量産することも可能となる。
【００３５】
図４及び図５に示すように、下段ユニット２０の島端側に位置する一端側は開口２０ｂとして開設されており、この開口２０ｂより貯留タンク３０を下段ユニット２０内に収納することができる。このように、島下段１０Ａ内への貯留タンク３０の設置が簡単なだけでなく、前記開口２０ｂより貯留タンク３０を外部に引き抜くように容易に取り出すことができ、貯留タンク３０全体を十分に点検したり修理することも簡易かつ迅速に行える。
【００３６】
特に本実施形態の場合には、下段ユニット２０の底面板２３側のレール部材２４に対して、貯留タンク３０を支持する支持脚３７Ａ〜３７Ｅのベアリング３８が移動可能に嵌合しているから、図４に示す如く貯留タンク３０を下段ユニット２０内の長手方向に沿ってスムーズに移動させて極めて容易に収納したり取り出すことができる。
【００３７】
島下段１０Ａ上の島中段１０Ｂの構築に際しては、島下段１０Ａ側の下方レール部材１２と島上段１０Ｃ側の上方レール部材１３との間に、各パチンコ機１１や球貸機１９を島長手方向に移動させつつ列をなすよう設置すればよい。それにより、島組立て時に各パチンコ機１１の取付スペースの厳密な位置設定が不要となり、単に各パチンコ機１１や球貸機１９を島端から順次並ぶように詰めれば適所に配置でき、島の組立て作業を迅速に行なうことができる。
【００３８】
また、パチンコ機１１の設置中において、パチンコ機１１を島長手方向に適宜移動させて取付位置の誤差を解消することもできる。更に組立て後に、パチンコ機１１を新しい機種と交換するような場合には、かかる交換作業はパチンコ機１１を１台ずつ移動させて島端から外し、新たに導入するパチンコ機１１を、その横幅を気にすることなく端から順に詰まるように配置すればよく、従来煩雑であった遊技機の交換作業も非常に簡単に行なうことができる。
【００３９】
図７及び図８は本発明の第２の実施形態を示している。
本実施形態に係る貯留タンク３０ａでは、各タンクブロック３１Ａ，３２Ａ，３３Ａを載置するような台座３６はなく、容量の大きい２つのタンクブロック３１Ａ，３２Ａの一端縁側に、これと対接する他のタンクブロックの他端縁と嵌合するための顎部３９が形成されている。また、各タンクブロック３１Ａ，３２Ａ，３３Ａ毎に、それらの底面部が互いに連続するよう傾斜した状態でフロア上に自立するための支持脚３７Ｆ〜３７Ｋが設けられている。
【００４０】
一番容量の大きなタンクブロック３１Ａの前壁や、島端付近に配される容量の小さなタンクブロック３３Ａの後壁は適宜設ければよいものである。また、支持脚３７Ｆ〜３７Ｋの下端には必要に応じて前述したベアリング３８を設けてもよい。
【００４１】
このような貯留タンク３０ａによれば、各タンクブロック３１Ａ〜３３Ａはその支持脚３７Ｆ〜３７Ｋにより、互いに底面部が連続するよう傾斜した状態でフロア上に自立するから、各タンクブロック３１Ａ〜３３Ａを支持するための台座３６や別部材が不要となり、部品点数を削減することができ、かつ組付けも容易に行うことができる。
【００４２】
図９〜図１１は本発明の第３の実施の形態を示している。
本実施形態に係る貯留タンク１３０は、全体的に見れば島長手方向に延びる略水平な底面部と、底面部の両端縁より垂直に延び上がる両側壁、それに島中央付近に配される前壁、島端付近に配される後壁とから立方体の箱状枠形に形成され、長手方向に分割された複数のタンクブロック１３１〜１３３を連接して成る。貯留タンク１３０の両端に位置するタンクブロック１３１，１３３にそれぞれは前壁または後壁が形成されている。
【００４３】
貯留タンク１３０の全体的な大きさは、遊技機島１０内で貯留すべきパチンコ球量等に応じて適宜決めればよく、例えば図９中におけるタンクブロック１３１とタンクブロック１３２との間にもう一つタンクブロック１３２を配設してより大容量なタンクを構成してもよい。個々のタンクブロック１３１〜１３３には、相互に連結するための簡易な連結機構が設けられている。
【００４４】
図９に示すように、貯留タンク１３０内には、導入されるパチンコ球をタンク一端側へと一方向に流下させるための傾斜体１３６が設けられている。この傾斜体３６は、それぞれ上部が滑らかに連続するよう分割された傾斜体１３６Ａ〜１３６Ｃから成る。これら傾斜ブロック１３６Ａ〜１３６Ｃはゴム等により一体成形されるものである。傾斜体１３６により、パチンコ球は自重で島中央側へと流下し、図示省略した研磨揚送装置の下端に集まるように設定されている。
【００４５】
また本実施形態では、各下段ユニット２０は、各パチンコ機１１を載置する天板２１と、該天板２１下側より垂下する腰部支持板２２、それにフロア上に沿う底面板２３とを合成樹脂で一体成形したものである。ここで成形材料の合成樹脂としては、エンジニアリングプラスチック（通称；エンプラ）が適する。エンプラとは耐熱性や力学特性それに強度的にも特に優れたプラスチックであり、例えば、ポリアミド、ポリカーボネート、ポリアセタール、ポリエステル等である。何れかを適宜選択して下段ユニット２０として一体成形すればよい。
【００４６】
以上のような貯留タンク１３０によれば、複数のタンクブロック１３１〜１３３の略水平な底面部上に、それぞれ互いに連続するよう傾斜してパチンコ球を流下させる傾斜体１３６Ａ〜１３６Ｃを装着するから、貯留タンク１３０内に導入されたパチンコ球を傾斜体１３６によって自然に一か所に集めることができる。従って、貯留タンク１３０の底面部自体にはパチンコ球を流下させるための傾斜を設けたり、貯留タンク１３０自体の傾斜角度を調整する必要はなく、かかる貯留タンク１３０の形状や配設を簡易化することができる。なお、前記第２の実施の形態と同種の部位については同一符号を付し、重複した説明は省略する。
【００４７】
図１２〜図１５は本発明の第４の実施の形態を示している。
本実施形態に係る貯留タンク２２０は、ブロック体２２１とその両側面部２２５，２２５に組付けられた側枠板２３０，２３０とを具備し、２つに分割されたタンクブロック２２０Ａ，２２０Ｂを連接して成る。
【００４８】
詳しく言えば、ブロック体２２１は互いに傾斜上面部２２２が滑らかに連続する２つのブロック体２２１Ａ，２２１Ｂに分割されており、これらの組合せにより長手方向の大きさを選択するようになっている。同様に側枠板２３０も、２つのブロック体２２１Ａ，２２１Ｂに対応すべく２つの側枠板２３０Ａ，２３０Ｂに予め分割されている。なお、もっと細かく分割して組合せるようにしてもよい。
【００４９】
ブロック体２２１は上面が略水平面に対して傾斜した直方体状に成形されたものであり、詳しくは傾斜上面部２２２と両側面部２２５，２２５と底面部２２６、それに前後の端面部を有している。かかるブロック体２２１は、本実施形態では合成樹脂そのものから図示した形状に一体成形されている。ここで成形材料の合成樹脂としては、例えばポリアミド、ポリカーボネート、ポリアセタール、ポリエステル等のいわゆるエンプラが適する。なお、ブロック体２２１の成形材料は前記合成樹脂に限定されるものではなく、その他、硬質ゴムや木屑を合成樹脂で固めたもの等から一体成形しても構わない。
【００５０】
ブロック体２２１の傾斜上面部２２２には、落下するパチンコ球の衝撃を緩和するための落下音防止ダンパ２２４が設けられている。落下音防止ダンパ２２４は、落下したパチンコ球が直接傾斜上面部２２２にぶつからないようクッションとなる部位であり、傾斜上面部２２２の中央に沿って長手方向に延びるように上向き山型に凸設されている。本実施形態では、落下音防止ダンパ２２４もブロック体２２１の一部分として合成樹脂により一体成形されているが、別体として例えばゴム等により成形したものを傾斜上面部２２２に取付けるようにしてもよい。
【００５１】
落下音防止ダンパ２２４の両脇となる傾斜上面部２２２上には、パチンコ球の流れを良くするための滑りシート２２８が張り付けられている。滑りシート２２８はステンレスの薄板から成り、ブロック体２２１の前後端面にも沿いそのまま下方に向ってフロアに接するように延びており、アースの役目も兼ねている。なお、滑りシート２２８はステンレスに限られるものではなく、摩擦係数の低い例えばテフロン合成樹脂等から成形してもよい。滑りシートが導電体でない場合には、かかる滑りシートとは別にアースをブロック体２２１及び側枠板２３０，２３０の少なくとも一方に設けるとよい。
【００５２】
更にまた、ブロック体２２１の傾斜上面部２２２の側端縁に、両側枠板２３０，２３０に対し上向きに接するアール２２３がつけられている。このアール２２３は、貯留タンク２２０の隅にパチンコ球やごみが滞留するのを防ぐための部位である。また、ブロック体２２１の底面部２２６側には物品収納用の凹部２２７が形成されている。その他、ブロック体２２１の側面部２２５には側枠板２３０を取付けるためのねじ孔か幾つか形成されている。
【００５３】
両側枠板２３０，２３０は、貯留タンク２２０の内壁を成すと共に、そのまま島下段１０Ａの両側壁、すなわち腰板の用を成す部材であるが、かかる側枠板２３０の表面に別途化粧板等を装着してもよい。また、本実施形態の場合、両側枠板２３０，２３０の上端縁には、各遊技機１１を載置する天板２３１が予め一体的に設けられている。かかる天板２３１は必ずしも側枠板２３０に一体成形する必要はなく、後から取付けるようにしても構わない。また、ブロック体２２１の前後端面部には、前壁板３２や後壁板３３が取付けられるようになっている。
【００５４】
以上のような貯留タンク２２０によって、ほぼそのまま島下段１０Ａは構成されている。前後の天板２３１間は、島長手方向に延びるよう大きく開口し、各パチンコ機１１から排出されたパチンコ球を広く受入れられるようになっている。貯留タンク２２０内に導入されたパチンコ球は自重で島中央側へと流下し、図１５に示すベルト式研磨揚送装置６０の下端に集まるように設定されている。
【００５５】
図１４及び図１５に示すように島下段１０Ａは、前述した各貯留タンク２２０の最後端外側よりも更にパチンコ機１１の２台分だけ延びる大きさに構成されている。最外側に位置する２台のパチンコ機１１の真下には、貯留タンク２２０は無いが通常の腰板や天板２３１を含む島下段構造が構築されている。各貯留タンク２２０の最後端上方には、ブロック体２２１の後端面部より島端側に位置する２台のパチンコ機１１から排出されるパチンコ球を受けて傾斜上面部２２２へ導く補助回収樋２３５が配設されている。
【００５６】
図１３に示すように、島下段１０Ａの天板２３１上には、各パチンコ機１１の下端が所定範囲で前後左右に移動可能に支持される載置レール２１２が設けられている。載置レール２１２の奥側にはパチンコ機１１の下端が島長手方向に移動可能に嵌合する突起２１２ａが突設されており、載置レール２１２の手前側は球箱を置けるスペースとなっている。また、後述する島上段１０Ｃの下面部４２には、各パチンコ機１１の上端に突設した被嵌合レール１１ａが前後方向に回動可能かつ島長手方向に移動可能に内嵌する吊下レール２１４が設けられている。
【００５７】
吊下レール２１４は略Ｃ字形断面であり図１３の紙面と直角に延びており、かかる吊下レール２１４は、下面部４２に島奥行方向にスライド可能に装着された上方ブラケット２１３に対して、高さ位置を調整できるようねじ軸を介して吊下げられている。更に上方ブラケット２１３には、上下に進退可能なねじ状の角度調整部材２１５が螺合している。この角度調整部材２１５は、各パチンコ機１１上端の前端縁側を適度に押圧することにより、前記被嵌合レール２１４を回動中心とした各パチンコ機１１の微妙な傾き角度を調整するための部材である。
【００５８】
前記載置レール２１２の下面にはスプリング付きベアリング（図示せず）が取付けられており、載置レール２１２は、天板２３１上を島長手方向及び島奥行方向に移動できるようになっている。また、スプリングの弾性変形により、載置レール２１２上のパチンコ機１１下端は、その傾斜角度に応じて略水平面に対して適宜変位できるように設定されている。
【００５９】
各パチンコ機１１や球貸機１９は、中段支持体２１６を間にして前後２列となるように列設されている。中段支持体２１６は島中段１０Ｂの骨格を成すものであり、各パチンコ機１１を島奥行方向に動力で移動させる駆動ユニット２１７が組込まれている。かかる駆動ユニット２１７は上下２台で１組となっており、詳しくはパルスモータと、その回転により島奥行方向に移動してパチンコ機１１の背面側を押引きするスクリュー或はラック等から構成されている。
【００６０】
次に第４の実施形態の作用を説明する。
貯留タンク２２０を構成するブロック体２２１は、島下段１０Ａのサイズや必要とするパチンコ球の貯留量を勘案して予め所定の大きさ・形状に工場等で成形しておく。成形材料として合成樹脂を用いれば、樹脂の選択により耐久性や十分な強度を得ることができる。その他、硬質ゴムを用いればパチンコ球の衝撃緩和に優れ、また、木屑を合成樹脂で固めたものを用いれば廃品（木屑）を活用することができる。
【００６１】
ブロック体２２１を複数ブロック体２２１Ａ，２２１Ｂに分割されており、後からそれらの傾斜上面部２２２が互いに連続すべく適宜組合せるから、前記各実施形態と同様に貯留タンク２２０の大きさを極めて容易に変更することができる。このようなブロック体２２１の両側面部２２５，２２５に、それぞれ側枠板２３０，２３０を組付けるだけで簡単に貯留タンク２２０をほぼ製造することができ、構造自体も非常に簡易化される。
【００６２】
しかも貯留タンク２２０は、ほぼそのままで遊技機島１０全体の土台をなす島下段１０Ａを成すから、島下段１０Ａを構成するための資材点数は従来技術に比して削減され、また組み付け工数も削減されて、施工現場における遊技機島１０の組立ては極めて簡易かつ容易となり、施工時間を大幅に短縮することができる。特に本実施形態では、両側枠板２３０，２３０の上端縁に天板２３１を一体的に設けたから、島施工現場での天板２３１の精度出しや組付け作業は不要となり、高い精度でもって予め工場等で量産することができる。
【００６３】
島構築時における各パチンコ機１１の取付けは、その上端にある被嵌合レール１１ａを島上段１０Ｃ側の吊下レール２１４に嵌合させ、また、各パチンコ機１１の下端を天板２３１上の載置レール２１２上に設置すればよい。パチンコ機１１上端の被嵌合レール１１ａは、吊下レール２１４に嵌合した状態でレール長手方向に移動可能であり、また、パチンコ機１１下端も載置レール２１２上を島長手方向に移動できる。従って、各パチンコ機１１を移動させつつ、島端から順次並ぶように配置させることができる。
【００６４】
各パチンコ機１１を適所に配置させた後、島上段１０Ｃ側の上方ブラケット２１３に螺合する角度調整部材２１５によりパチンコ機１１上端の前端縁側を適度に押圧すれば、パチンコ機１１は前記吊下レール２１４に嵌合している被嵌合レール１１ａを回動中心として微妙に傾動するため、パチンコ機１１の傾き角度を容易に調整することができる。
【００６５】
更には、前記上方ブラケット２１３は、島上段１０Ｃの下面部４２に対して島奥行方向に一定範囲でスライド可能であり、しかも載置レール２１２は天板２３１上を島奥行方向に移動できる。従って、各パチンコ機１１をそれぞれ島奥行方向における最適な位置にも後から調整することができる。特に本実施形態によれば、駆動ユニット２１７により自動的に調整するようなことも可能となる。
【００６６】
なお、本発明に係る遊技機島の貯留タンクは図示した実施の形態に限定されるものではない。
【００６７】
【発明の効果】
本発明に係る遊技機島の貯留タンクによれば、島長手方向に分割された複数のタンクブロックを連接して成るから、遊技機島の長手方向の長さに応じてタンクブロックを適宜組合せタンク全長を短くしたり長くすることができ、最適な寸法の貯留タンクを極めて容易に形成することができる。また、遊技機島で必要とされるパチンコ球の貯留量に応じて、余分なタンクブロックを外したり逆に付け加えたりすることで、別寸法の貯留タンクを新たに用意することなく、タンク容量を後から増減することも容易にできる。
また、落下音防止ダンパを設けているので、落下するパチンコ球の消音効果が高く、傾斜上面部の側端縁に設けたアールと、前記落下音防止ダンパの両脇に滑りの良い材料を敷設したことから、パチンコ球の滑りが極めてよく、ゴミ等の塵埃が滞留することがない。
更に、アース処理をしているので静電気の影響を受けることがなく、極めて理想的な貯留タンクを提供できる。 
【図面の簡単な説明】
【図１】本発明の第１実施形態に係る貯留タンクを示す断面図である。
【図２】本発明の第１実施形態に係る貯留タンクを装備した遊技機島を示す正面図である。
【図３】本発明の第１実施形態に係る貯留タンクを装備した遊技機島を示す断面図である。（図２のIII −III 断面図である。）
【図４】本発明の第１実施形態に係る貯留タンクを島下段の下段ユニット内に収納設置する状態を示す説明図である。
【図５】本発明の第１実施形態に係る貯留タンクと下段ユニットとを示す斜視図である。
【図６】本発明の第１実施形態に係る貯留タンクを下段ユニット内に収納設置した状態を示す端面図である。
【図７】本発明の第２実施形態に係る貯留タンクを示す断面図である。
【図８】本発明の第２実施形態に係る貯留タンクを下段ユニット内に収納設置する状態を示す説明図である。
【図９】本発明の第３実施形態に係る貯留タンクを示す断面図である。
【図１０】本発明の第３実施形態に係る貯留タンクを装備した遊技機島を示す正面図である。
【図１１】本発明の第３実施形態に係る貯留タンクを装備した遊技機島を示す断面図である。
【図１２】本発明の第４実施形態に係る貯留タンクを示す斜視図である。
【図１３】本発明の第４実施形態に係る貯留タンクを示す断面図である。
【図１４】本発明の第４実施形態に係る貯留タンクを装備した遊技機島を示す正面図である。
【図１５】本発明の第４実施形態に係る貯留タンクを装備した遊技機島の内部構造を示す正面図である（貯留タンクのみ断面を示す。）。
【符号の説明】
１０…遊技機島
１０Ａ…島下段
１０Ｂ…島中段
１０Ａ…島上段
１１…パチンコ機（遊技機）
２０…下段ユニット
３０，３０ａ，１３０，２２０…貯留タンク
３１，３２，３３，３４…タンクブロック
３１Ａ，３２Ａ，３３Ａ…タンクブロック
１３１，１３２，１３３…タンクブロック
２２０Ａ，２２０Ｂ…タンクブロック
【図１】
0003841857.tif 000002
【図２】
0003841857.tif 000003
【図３】
0003841857.tif 000004
【図４】
0003841857.tif 000005
【図５】
0003841857.tif 000006
【図６】
0003841857.tif 000007
【図７】
0003841857.tif 000008
【図８】
0003841857.tif 000009
【図９】
0003841857.tif 000010
【図１０】
0003841857.tif 000011
【図１１】
0003841857.tif 000012
【図１２】
0003841857.tif 000013
【図１３】
0003841857.tif 000014
【図１４】
0003841857.tif 000015
【図１５】
0003841857.tif 000016